(57)【要約】【課題】熱交換器に対する着脱に際し、熱交換器の上方に要する空気流に沿う方向の着脱用スペースを小さく抑えることができる熱交換器用防塵ネット及び熱交換器用防塵ネットの取り付け構造の提供。【解決手段】熱交換器１０の前面に配置される前面ネット１１ａと、熱交換器１０の上面１０ｂに配置される上面ネット１１ｂとを有し、熱交換器１０のフィンへの異物や塵埃の付着を防止する防塵ネット１１が、前面ネット１１ａと上面ネット１１ｂとを相対的回動可能に連結する連結手段、例えばヒンジ１１ｃを備えている。また、熱交換器１０には防塵ネット１１のヒンジ１１ｃの軸１１ｃ１を支持する軸受１７と、防塵ネット１１の前面ネット１１ａを保持する前面保持具１５と、防塵ネット１１の上面ネット１１ｂを保持する上面保持具１６とを設けた構成にしてある。【選択図】図６
2009074700.tif 000002
【特許請求の範囲】
【請求項１】
熱交換器の前面に配置される前面ネットと、上記熱交換器の上面に配置される上面ネットとを有し、上記熱交換器のフィンへの異物や塵埃の付着を防止する熱交換器用防塵ネットにおいて、
上記前面ネットと上記上面ネットとを相対的回動可能に連結する連結手段を備えたことを特徴とする熱交換器用防塵ネット。
【請求項２】
上記請求項１記載の発明において、
上記連結手段が、上記熱交換器用防塵ネットの上記熱交換器に対する着脱時に、上記上面ネットを上記前面ネットに対向配置可能にするヒンジから成ることを特徴とする熱交換器用防塵ネット。
【請求項３】
熱交換器の前面に配置される前面ネットと、上記熱交換器の上面に配置される上面ネットとを有し、上記熱交換器のフィンへの異物や塵埃の付着を防止する熱交換器用防塵ネットを上記熱交換器に取り付ける熱交換器用防塵ネットの取り付け構造において、
上記熱交換器用防塵ネットが、上記前面ネットと上記上面ネットとを相対的回動可能に連結するヒンジを備えるとともに、上記熱交換器に上記ヒンジの軸を支持する軸受を設けたことを特徴とする熱交換器用防塵ネットの取り付け構造。
【請求項４】
上記請求項３記載の発明において、
上記熱交換器の上記前面に、上記熱交換器用防塵ネットの上記前面ネットの下端部を保持する前面保持具を備え、上記熱交換器の上記上面に、上記熱交換器用防塵ネットの上記上面ネットの上記ヒンジとは反対側に位置する端部を保持する上面保持具を備えたことを特徴とする熱交換器用防塵ネットの取り付け構造。
【請求項５】
上記請求項４記載の発明において、
上記前面保持具は、上方に向かうに従って次第に拡開する形状に形成され上記熱交換器用防塵ネットの上記下端部を案内可能なガイド部を有し、上記上面保持具は、上記ヒンジに向かうに従って次第に拡開する形状に形成され上記ヒンジとは反対側に位置する端部を案内可能なガイド部を有することを特徴とする熱交換器用防塵ネットの取り付け構造。
【発明の詳細な説明】
【技術分野】
【０００１】
本発明は、ラジエータ、オイルクーラ等の熱交換器に取り付けられ、前面ネットと上面ネットを有し、熱交換器のフィンへの異物や浮遊する塵埃の付着を防止する熱交換器用防塵ネット、及び熱交換器用防塵ネットの取り付け構造に関する。
【背景技術】
【０００２】
この種の従来技術として、特許文献１，２に示されるものがある。特許文献１には、オイルクーラ、ラジエータ等の熱交換装置すなわち熱交換器に、空気中の浮遊異物を除去する防除ネットすなわち防塵ネットが開示されている。この防塵ネットは、熱交換器の前面に配置される前面ネット部すなわち前面ネットと、熱交換器の上面に配置される上部ネット部すなわち上面ネットとを有し、これらの前面ネットと上面ネットとが剛性を有する一体構造物として設けられ、全体の形状が逆Ｌ字状に形成されている。また、特許文献２には、オイルクーラ、ラジエータ等の熱交換装置すなわち熱交換器に、浮遊物等を除去する防護ネットすなわち防塵ネットが開示されている。この防塵ネットも、上述した特許文献１に示される防塵ネットと同様に、熱交換装置の前面に配置される前面部防護ネットすなわち前面ネットと、熱交換装置の上面に配置される上部防護ネットすなわち上面ネットとを有し、これらの前面ネットと上面ネットとが剛性を有する一体構造物として設けられ、全体の形状が逆Ｌ字状に形成されている。
【特許文献１】特許第３５５３７８２号公報
【特許文献２】特許第３５００８２３号公報
【発明の開示】
【発明が解決しようとする課題】
【０００３】
上述した特許文献１，２に示される従来の熱交換器用防塵ネットは共に、前面ネットと上面ネットとを剛性を有する一体構造物の逆Ｌ字形状に形成してあることから、これらの防塵ネットを熱交換器に取り付けるために熱交換器の上方から下ろす際に、あるいは熱交換器に取り付けられていた防塵ネットを新しいものに交換するために熱交換器から取り外して引上げ、上方へ引き抜く際に、この防塵ネットを構成する上面ネットの幅寸法以上の、すなわち熱交換器に流入する空気流に沿う方向の寸法である幅寸法以上の防塵ネット着脱用スペースを必要とする。これにより、従来技術では熱交換器の上方空間における各種機器の配置設計に制約を受ける問題がある。全体の形状寸法が比較的小さい建設機械、例えば超小型油圧ショベル等にあっては、このことは深刻な問題となっている。
【０００４】
本発明は、上述した従来技術における実状からなされたもので、その目的は、熱交換器に対する着脱に際し、熱交換器の上方に要する空気流に沿う方向の着脱用スペースを小さく抑えることができる熱交換器用防塵ネット及び熱交換器用防塵ネットの取り付け構造を提供することにある。
【課題を解決するための手段】
【０００５】
この目的を達成するために、本発明に係る熱交換器用防塵ネットは、熱交換器の前面に配置される前面ネットと、上記熱交換器の上面に配置される上面ネットとを有し、上記熱交換器のフィンへの異物や塵埃の付着を防止する熱交換器用防塵ネットにおいて、上記前面ネットと上記上面ネットとを相対的回動可能に連結する連結手段を備えたことを特徴としている。
【０００６】
このように構成した本発明に係る熱交換器用防塵ネットは、熱交換器に取り付ける際には、連結手段で連結された前面ネットに上面ネットが対向するように、この上面ネットを回動させて折り畳んで熱交換器の上方から下ろし、熱交換器の近くに上面ネットが至ったときに、この上面ネットを回動させて広げると、前面ネットが熱交換器の前面に配置され、上面ネットが熱交換器の上面に配置されて熱交換器に対する防塵機能が得られる状態となる。これとは逆に、本発明に係る防塵ネットを、熱交換器から取り外す際には、例えば連結手段付近を把持して引き上げると、上面ネットが自重により回動して前面ネットに対向するように折り畳まれ、この状態で上方に引き抜くことができる。したがって、熱交換器に対する取り付け、取り外しのために熱交換器の上方に要する空気流に沿う方向の着脱用スペースを、前面ネットの厚さ寸法に上面ネットの厚さ寸法を加えた程度の小さな寸法に抑えることができる。
【０００７】
また、本発明に係る熱交換器用防塵ネットは、上記発明において、上記連結手段が、上記熱交換器用防塵ネットの上記熱交換器に対する着脱時に、上記上面ネットを上記前面ネットに対向配置可能にするヒンジから成ることを特徴としている。
【０００８】
このように構成した本発明は、空気流に沿う方向の着脱用スペースを、上面ネットを前面ネットに対向する状態に折り畳んだときのヒンジの厚さ寸法に相応する程度の小さな寸法に抑えることができる。
【０００９】
また、上記目的を達成するために、本発明に係る熱交換器用防塵ネットの取り付け構造は、熱交換器の前面に配置される前面ネットと、上記熱交換器の上面に配置される上面ネットとを有し、上記熱交換器のフィンへの異物や塵埃の付着を防止する熱交換器用防塵ネットを上記熱交換器に取り付ける熱交換器用防塵ネットの取り付け構造において、上記熱交換器用防塵ネットが、上記前面ネットと上記上面ネットとを相対的回動可能に連結するヒンジを備えるとともに、上記熱交換器に上記ヒンジの軸を支持する軸受を設けたことを特徴としている。
【００１０】
このように構成した本発明は、防塵ネットを熱交換器に取り付ける際には、ヒンジで連結された前面ネットに上面ネットが対向するように、この上面ネットを回動させ折り畳んで熱交換器の上方から下ろし、熱交換器の近くに上面ネットが至ったときに、この上面ネットを回動させて広げ、ヒンジの軸を熱交換器に設けた軸受に支持させると、前面ネットが熱交換器の前面に配置され、上面ネットが熱交換器の上面に配置され、熱交換器に対する防塵機能が得られる。これとは逆に、防塵ネットを熱交換器から取り外す際には、例えばヒンジ付近を把持してこのヒンジの軸を軸受から離脱させるように引上げると、上面ネットが自重により回動して前面ネットに対向するように折り畳まれ、この状態で上方に引き抜くことができる。したがって、熱交換器に対する取り付け、取り外しのために、熱交換器の上方に要する空気流に沿う方向の着脱用スペースを、上面ネットを前面ネットに対向するように折り畳んだときのヒンジの厚さ寸法に相応する程度の小さな寸法に抑えることができる。また、熱交換器にヒンジの軸を支持する軸受を備えたことから、防塵ネットを熱交換器に取り付ける際に、防塵ネットを熱交換器に対して容易に位置決めすることができる。
【００１１】
また、本発明に係る熱交換器用防塵ネットの取り付け構造は、上記発明において、上記熱交換器の上記前面に、上記熱交換器用防塵ネットの上記前面ネットの下端部を保持する前面保持具を備え、上記熱交換器の上記上面に、上記熱交換器用防塵ネットの上記上面ネットの上記ヒンジとは反対側に位置する端部を保持する上面保持具を備えたことを特徴としている。
【００１２】
このように構成した本発明は、防塵ネットを熱交換器に取り付けた際に、防塵ネットを形成する前面ネットの下端部が前面保持具で保持され、上面ネットの端部が上面保持具で保持されるので、この防塵ネットを熱交換器に安定して保持させることができる。これにより、防塵ネットを熱交換器に固定する固定具の数を少なくすることができる。
【００１３】
また、本発明に係る熱交換器用防塵ネットの取り付け構造は、上記発明において、上記前面保持具は、上方に向かうに従って次第に拡開する形状に形成され上記熱交換器用防塵ネットの上記下端部を案内可能なガイド部を有し、上記上面保持具は、上記ヒンジに向かうに従って次第に拡開する形状に形成され上記ヒンジとは反対側に位置する端部を案内可能なガイド部を有することを特徴としている。
【００１４】
このように構成した本発明は、防塵ネットを熱交換器に対して着脱させる際に、前面ネットの下端部を前面保持具のガイド部によって案内させることができ、上面ネットの端部を上面保持具のガイド部によって案内させることができるので、この防塵ネットの熱交換器に対する着脱を円滑に行なうことができる。
【発明の効果】
【００１５】
本発明に係る熱交換器用防塵ネットは、熱交換器に対する着脱に際し、熱交換器の上方に要する空気流に沿う方向の着脱用スペースを、前面ネットの厚さ寸法に上面ネットの厚さ寸法を加えた程度の小さな寸法に抑えることができ、これにより熱交換器の上方空間における各種機器の配置設計の自由度を従来よりも大きくすることができる。
【００１６】
また、本発明に係る熱交換器用防塵ネットの取り付け構造は、熱交換器に対する防塵ネットの着脱に際し、熱交換器の上方に要する空気流に沿う方向の着脱用スペースを、上面ネットを前面ネットに対向するように折り畳んだときのヒンジの厚さ寸法程度の小さな寸法に抑えることができ、これにより熱交換器の上方空間における各種機器の配置設計の自由度を従来よりも大きくすることができる。さらに、熱交換器がヒンジの軸を支持する軸受を備えていることから、防塵ネットを熱交換器に取り付ける際に、防塵ネットを熱交換器に対して容易に位置決めすることができ、これによって防塵ネットの取り付け作業の能率を向上させることができる。
【発明を実施するための最良の形態】
【００１７】
以下，本発明に係る熱交換器用防塵ネット及び熱交換器用防塵ネットの取り付け構造を実施するための最良の形態を図に基づいて説明する。
【００１８】
図１は本発明に係る熱交換器用防塵ネット、及び熱交換器用防塵ネットの取り付け構造の一実施形態が備えられる建設機械の一例として挙げた油圧ショベルを示す側面図である。
【００１９】
この図１に示す油圧ショベルは、走行体１と、この走行体１上に配置される旋回体２と、この旋回体２に上下方向の回動可能に取り付けられるフロント作業機３とを備えている。フロント作業機３は、旋回体２に取り付けられるブーム４と、このブーム４の先端に取り付けられるアーム５と、このアーム５の先端に取り付けられるバケット６とを含んでいる。旋回体２には、重量バランスを確保するカウンタウエイト７の他、エンジン室８が備えられ、このエンジン室８はエンジンカバー９で覆われている。エンジン室８内には、オイルクーラ、ラジエータ等の熱交換器１０が配置されている。この熱交換器１０に、本実施形態に係る後述の防塵ネット１１が取り付けられている。
【００２０】
図２〜７は、本実施形態に係る熱交換器用防塵ネット、及び熱交換器用防塵ネットの取り付け構造の一実施形態を示す図である。図２は図１に示す油圧ショベルに備えられる本実施形態に係る熱交換器用防塵ネットが熱交換器に取り付けられた状態、及び熱交換器に対して着脱されるときの状態を示す要部斜視図、図３は図２に示す状態をカウンタウエイトの後方部分から見た図である。図４は図１に示す油圧ショベルに備えられる熱交換器を示す図で、本実施形態に係る熱交換器用防塵ネットが取り付けられる前の状態を示す斜視図である。図５は本実施形態に係る熱交換器用防塵ネットを示す図で、（ａ）図は熱交換器に対して着脱される際の熱交換器用防塵ネットの状態を示す斜視図、（ｂ）図は熱交換器に取り付けられた際の熱交換器用防塵ネットの状態を示す斜視図である。図６は本実施形態に係る熱交換器用防塵ネットの取り付け構造を示す斜視図、図７は図６の要部拡大図で、（ａ）図は本実施形態に係る熱交換器用防塵ネットの取り付け構造の上側部分を示す斜視図、（ｂ）図は本実施形態に係る熱交換器用防塵ネットの取り付け構造の下側部分を示す斜視図である。
【００２１】
図２の実線で示すように、熱交換器１０には、この熱交換器１０のフィンへの異物や塵埃の付着を防止する本実施形態に係る防塵ネット１１が取り付けられている。この防塵ネット１１は、図２，３の破線で示すように、上方から下ろされて熱交換器１０に取り付けられ、また逆に熱交換器１０から取り外された際に、上方に引上げられて抜き取られるようになっている。このような熱交換器１０に対する防塵ネット１１の着脱に際しては、エンジンカバー９の近傍に配置された上面カバー１３に隣接して形成される着脱用スペース、すなわち隙間１４を介して着脱が行なわれるようになっている。防塵ネット１１の前方位置には、エアコンコンデンサ１２が配置されている。
【００２２】
防塵ネット１１は、図５の（ａ）（ｂ）図に示すように、熱交換器１０の前面に配置される前面ネット１１ａと、熱交換器１０の上面に配置される上面ネット１１ｂと、これらの前面ネット１１ａと上面ネット１１ｂとを相対的回動可能に連結する連結手段とを備えている。この連結手段は、例えば熱交換器１０に対する防塵ネット１１の着脱時に、上面ネット１１ｂを前面ネット１１ａに対向配置可能にするヒンジ１１ｃから成っている。
【００２３】
前面ネット１１ａは、枠体１１ａ１と、この枠体１１ａ１によって保持される網１１ａ２とを含んでいる。同様に、上面ネット１１ｂは、枠体１１ｂ１と、この枠体１１ｂ１によって保持される網１１ｂ２とを含んでいる。ヒンジ１１ｃは、回動中心を形成する軸１１ｃ１を備えている。
【００２４】
熱交換器１０には、図６に示すように、例えば２つの同一構造の防塵ネット１１が並置されて取り付けられるようになっている。熱交換器１０は、図４，６，７に示すように、上面１０ｂの前側端部に防塵ネット１１のヒンジ１１ｃの軸１１ｃ１を支持する軸受１７を備えている。また、この熱交換器１０の前面の下方部分１０ａに、防塵ネット１１の前面ネット１１ａを構成する枠体１１ａ１の下端部１１ａ１１を保持する前面保持具１５を備えている。この熱交換器１０の上面１０ｂに、防塵ネット１１の上面ネット１１ｂを構成する枠体１１ｂ１のヒンジ１１ｃとは反対側に位置する端部１１ｂ１１を保持する上面保持具１６を備えている。さらに、防塵ネット１１の前面ネット１１ａの上方部分に形成された孔１１ｄに挿入され、防塵ネット１１を熱交換器１０に固定する蝶ボルト１８を備えている。
【００２５】
上述した前面保持具１５は、上方に向かうに従って次第に拡開する形状に形成され防塵ネット１１の前面ネット１１ａを構成する枠体１１ａ１の下端部１１ａ１１を案内可能なガイド部１５ａを有している。また、上述した上面保持具１６は、防塵ネット１１のヒンジ１１ｃに向かうに従って次第に拡開する形状に形成されヒンジ１１ｃとは反対側に位置する防塵ネット１１の上面ネット１１ｂを構成する枠体１１ｂ１の端部１１ｂ１１を案内可能なガイド部１６ａを有している。
【００２６】
上述のように構成した本実施形態に係る熱交換器用防塵ネット、及び熱交換器用防塵ネットの取り付け構造においては、防塵ネット１１を熱交換器１０に取り付ける際には、連結手段すなわちヒンジ１１ｃで連結された前面ネット１１ａに上面ネット１１ｂが対向するように、この上面ネット１１ｂを回動させて折り畳んで熱交換器１０の上方から図３の隙間１４を通して下ろし、熱交換器１０の近くに上面ネット１１ｂが至ったときに、この上面ネット１１ｂを回動させ、広げた状態で防塵ネット１１のヒンジ１１ｃの軸１１ｃ１を熱交換器１０に設けた軸受１７に支持させると、前面ネット１１ａが熱交換器１０の前面に配置され、上面ネット１１ｂが熱交換器１０の上面１０ｂに配置されて、熱交換器１０に対する防塵機能が得られる状態となる。このとき、防塵ネット１１の前面ネット１１ａを構成する枠体１１ａ１の下端部１１ａ１１は、前面保持具１５のガイド部１５ａに案内されて前面保持具１５に挿入され、この前面保持具１５によって保持される。また、防塵ネット１１の上面ネット１１ｂを構成する枠体１１ｂ１の端部１１ｂ１１は、上面保持具１６のガイド部１６ａに案内されて上面保持具１６に挿入され、この上面保持具１６によって保持される。このように前面保持具１５及び上面保持具１６によって防塵ネット１１が保持されている状態において、蝶ボルト１８が防塵ネット１１の前面ネット１１ｂに形成された孔１１ｄに挿入されて回されることにより、この蝶ボルト１８によって防塵ネット１１が熱交換器１０に固定される。
【００２７】
これとは逆に、防塵ネット１１を、熱交換器１０から取り外す際には、例えばヒンジ１１ｃ付近を把持して引き上げると、防塵ネット１１のヒンジ１１ｃの軸１１ｃ１が熱交換器１０の軸受１７から離脱し、防塵ネット１１の前面ネット１１ａを構成する枠体１１ａ１の下端部１１ａ１１が前面保持具１５から離脱し、また、防塵ネット１１の上面ネット１１ｂを構成する枠体１１ｂ１の端部１１ｂ１１が上面保持具１６から離脱し、上面ネット１１ｂが自重により回動して前面ネット１１ａに対向するように折り畳まれ、この状態で、図３の隙間１４から上方に引き抜くことができる。したがって、熱交換器１０に対する取り付け、取り外しのために熱交換器１０の上方に要する空気流に沿う方向の着脱用スペース、すなわち図３の隙間１４の寸法を、前面ネット１１ａの厚さ寸法に上面ネット１１ｂの厚さ寸法を加えた程度の小さな寸法、すなわち図３に示すヒンジ１１ｃの厚さ寸法に相応する寸法Ｗよりわずかに大きい程度の寸法に抑えることができる。これにより、熱交換器１０の上方空間における各種機器の配置設計の自由度を大きくすることができる。したがって、各種機器の配置に制約を受けやすい超小型油圧ショベル等に備えられる熱交換器１０の防塵に有効に活用させることができる。
【００２８】
また、本発明に係る熱交換器用防塵ネットの取り付け構造によれば、上述のように熱交換器１０にヒンジ１１ｃの軸１１ｃ１を支持する軸受１７を備えたことから、防塵ネット１１を熱交換器１０に取り付ける際に、ヒンジ１１ｃの軸１１ｃ１が軸受１７に係止されることによって、防塵ネット１１を熱交換器１０に対して容易に位置決めすることができ、これによって防塵ネット１１の取り付け作業の能率を向上させることができる。
【００２９】
また、この取り付け構造によれば、防塵ネット１１を熱交換機１０に取り付ける際に、防塵ネット１１を形成する前面ネット１１ａを構成する枠体１１ａ１の下端部１１ａ１１が前面保持具１５で保持され、上面ネット１１ｂを構成する枠体１１ｂ１の端部１１ｂ１１が上面保持具１６で保持されるので、この防塵ネット１１を熱交換器１０に対して安定して保持させることができる。これにより、防塵ネット１１を熱交換器１０に固定する固定具、すなわち蝶ボルト１８の数を少なくすることができ、防塵ネット１１の着脱が容易となる。
【００３０】
また、この取り付け構造によれば、防塵ネット１１を熱交換器１０に対して着脱させる際に、前面ネット１１ａを構成する枠体１１ａ１の下端部１１ａ１１を、前面保持具１５のガイド部１５ａによって案内させることができ、上面ネット１１ｂを構成する枠体１１ｂ１の端部１１ｂ１１を、上面保持具１６のガイド部１６ａによって案内させることができるので、この防塵ネット１１の熱交換器１０に対する着脱を円滑に行なうことができ、防塵ネット１１の着脱作業の能率向上に貢献する。
【図面の簡単な説明】
【００３１】
【図１】本発明に係る熱交換器用防塵ネット、及び熱交換器用防塵ネットの取り付け構造の一実施形態が備えられる建設機械の一例として挙げた油圧ショベルを示す側面図である。
【図２】図１に示す油圧ショベルに備えられる本実施形態に係る熱交換器用防塵ネットが熱交換器に取り付けられた状態、及び熱交換器に対して着脱されるときの状態を示す要部斜視図である。
【図３】図２に示す状態をカウンタウエイトの後方部分から見た図である。
【図４】図１に示す油圧ショベルに備えられる熱交換器を示す図で、本実施形態に係る熱交換器用防塵ネットが取り付けられる前の状態を示す斜視図である。
【図５】本実施形態に係る熱交換器用防塵ネットを示す図で、（ａ）図は熱交換器に対して着脱される際の熱交換器用防塵ネットの状態を示す斜視図、（ｂ）図は熱交換器に取り付けられた際の熱交換器用防塵ネットの状態を示す斜視図である。
【図６】本実施形態に係る熱交換器用防塵ネットの取り付け構造を示す斜視図である。
【図７】図６の要部拡大図で、（ａ）図は本実施形態に係る熱交換器用防塵ネットの取り付け構造の上側部分を示す斜視図、（ｂ）図は本実施形態に係る熱交換器用防塵ネットの取り付け構造の下側部分を示す斜視図である。
【符号の説明】
【００３２】
１０    熱交換器
１０ａ  下方部分
１０ｂ  上面
１１    防塵ネット
１１ａ  前面ネット
１１ａ１  枠体
１１ａ１１  下端部
１１ａ２  網
１１ｂ  上面ネット
１１ｂ１  枠体
１１ｂ１１  端部
１１ｂ２  網
１１ｃ  ヒンジ（連結手段）
１１ｃ１  軸
１１ｄ  孔
１３    上面カバー
１４    隙間
１５    前面保持具
１５ａ  ガイド部
１６    上面保持具
１６ａ  ガイド部
１７    軸受
１８    蝶ボルト
【図１】
2009074700.tif 000003
【図２】
2009074700.tif 000004
【図３】
2009074700.tif 000005
【図４】
2009074700.tif 000006
【図５】
2009074700.tif 000007
【図６】
2009074700.tif 000008
【図７】
2009074700.tif 000009